(57)【要約】【課題】掲示板に投稿された記事の中で掲示板を利用する者に関心が持たれる記事を素早く探し、また、重要な情報を見逃さないようにする電子掲示板システムを提供する。【解決手段】ネットワークに接続された電子掲示板システムであって、投稿者の投稿した記事を掲示板データベース４０へ登録する登録手段１２と、掲示板データベース４０の記事を閲覧者が閲覧したときに、該記事の内容を閲覧者へ返信するとともに、該閲覧者を識別する識別子および閲覧した日付を該記事と関連付けて掲示板データベース４０へ記録する閲覧手段１３と、利用者から特定の期間が指定されたときに、該特定の期間内に閲覧されている掲示板データベース４０中の記事を対象にして閲覧者数を計数し、閲覧者数の多い順番に記事を並べた一覧表を作成して利用者へ返信する一覧表作成手段１４とを備えている。【選択図】図４
2005122226.tif 000002
【特許請求の範囲】
【請求項１】
ネットワークに接続された電子掲示板システムにおいて、投稿者の投稿した記事を掲示板データベースへ登録する登録手段と、前記掲示板データベースの記事を閲覧者が閲覧したときに、該記事の内容を閲覧者へ返信するとともに、該閲覧者を識別する識別子および閲覧した日付を該記事と関連付けて該掲示板データベースへ記録する閲覧手段と、利用者から特定の期間が指定されたときに、該特定の期間内に閲覧されている前記掲示板データベース中の記事を対象にして閲覧者数を計数し、閲覧者数の多い順番に記事を並べた一覧表を作成して前記利用者へ返信する一覧表作成手段とを備えることを特徴とする電子掲示板システム。
【請求項２】
請求項１に記載の電子掲示板システムにおいて、前記一覧表作成手段で閲覧者数を計数する場合、前記特定の期間内で同じ識別子を持つ閲覧者に対しては１人として計数するようにしたことを特徴とする電子掲示板システム。
【請求項３】
請求項１または２に記載の電子掲示板システムにおいて、前記一覧表作成手段で閲覧者数の多い順番に記事を並べ換える場合、閲覧者数が同数の記事があるときは、それらの記事内の順序を記事が投稿された日時が新しい順に並べるようにしたことを特徴とする電子掲示板システム。
【請求項４】
請求項１、２または３に記載の電子掲示板システムにおいて、前記特定の期間は、本日、今週、今月、指定期間あるいは期間限定なしのいずれかであることを特徴とする電子掲示板システム。
【請求項５】
請求項１乃至４のいずれかに記載の電子掲示板システムにおいて、前記一覧表の表示項目は、少なくとも記事名および該記事を閲覧した閲覧者数であることを特徴とする電子掲示板システム。
【請求項６】
請求項１乃至５のいずれかに記載の電子掲示板システムにおいて、前記一覧表作成手段における計数の対象を記事単位ではなく、関連する記事をまとめて計数するようにしたことを特徴とする電子掲示板システム。
【請求項７】
記事を投稿または閲覧するためのクライアントと投稿された記事を管理する電子掲示板サーバをネットワークで接続した電子掲示板システムにおいて、
前記電子掲示板サーバは、前記クライアントから投稿された記事を掲示板データベースへ登録する登録手段と、前記掲示板データベースの記事を前記クライアントから閲覧されたときに、該記事の内容を該クライアントへ返信するとともに、該クライアントの閲覧者を識別する識別子および閲覧された日付を該記事と関連付けて該掲示板データベースへ記録する閲覧手段と、前記クライアントから特定の期間が指定されたときに、該特定の期間内に閲覧されている前記掲示板データベース中の記事を対象にして閲覧者数を計数し、閲覧者数の多い順番に記事を並べた一覧表を作成して前記クライアントへ返信する一覧表作成手段とを備え、
前記クライアントは、前記一覧表による記事の表示対象の切り替え要求を前記電子掲示板サーバへ送信する表示順序切替手段と、前記電子掲示板サーバから返信された一覧表を表示する表示手段と、前記表示手段で表示された一覧表中で指定した記事の内容を前記電子掲示板サーバから取得して表示する記事内容表示手段とを備えることを特徴とする電子掲示板システム。
【請求項８】
請求項７に記載の電子掲示板システムにおいて、前記表示順序切替手段における表示対象は、本日、今週、今月あるいは指定期間のいずれかに閲覧された記事であることを特徴とする電子掲示板システム。
【請求項９】
コンピュータに、請求項１乃至８のいずれかに記載の電子掲示板システムの機能を実行させるためのプログラム。
【請求項１０】
請求項９に記載のプログラムを記録したコンピュータ読み取り可能な記録媒体。
【発明の詳細な説明】
【技術分野】
【０００１】
本発明は、電子掲示板システム、プログラムおよび記録媒体に関し、具体的には、通信ネットワーク上で複数の利用者が自由に記事を作成、閲覧可能な電子掲示板システム、電子掲示板システムの機能を実行するためのプログラムおよびそのプログラムを記録したコンピュータ読み取り可能な記録媒体に関する。
【背景技術】
【０００２】
近年、利用者間において情報の伝達やディスカッションを行うために電子掲示板が多く利用されている。電子掲示板を利用することで利用者は任意の時刻に記事を投稿したり、記事を閲覧することが可能になり、遠隔地の利用者との間で非同期でディスカッションが可能となる。
しかし、掲示板に投稿される記事の数が多くなると、重要なことが記述されている記事や読むに足らない記事等が掲示板内で混在し、利用者が記事を検索するのに手間がかかるという問題があった。
【０００３】
このため、従来の電子掲示板では、投稿された記事をカテゴリ順に並べ替えたり、投稿時刻順に並べ替えることで、利用者が目的とする記事を検索しやすくしている。しかしながら、記事をカテゴリ順に並べ替えた場合には、記事が多くなるとカテゴリ数も増加し、検索の手間は減らないという問題が生じる。また、記事を登録時刻順に並べ変えた場合には、重要なことが記述されている古い記事の検索に手間がかかるという問題が生じる。
【０００４】
例えば、特許文献１の技術は、掲示板データベースへ登録された記事に特定の登録情報があるか否かを判定し、特定の登録情報が存在する場合に、その記事を高順位の位置に表示させるようにした一覧表をクライアント端末に送信し、クライアント端末の表示画面へ表示する。これにより、登録日時の新旧にかかわりなく、登録された記事の中で重要度の高い記事を常に一覧表示の中の優先順位の高い位置に表示することができる。
しかしながら、この特定の登録情報は登録者が予め付すものであって、閲覧者によって評価された重要度ではない。
【０００５】
また、特許文献２の技術は、会員マスタテーブルに登録されている各会員のクライアント端末から発信されたメッセージを会員メッセージテーブルにおいて記憶管理すると共に、この会員メッセージテーブルに記憶された各会員メッセージを、クライアント端末からの閲覧要求によりメッセージ閲覧表示画面データとして提供し、閲覧対象となった会員メッセージには閲覧点を、また、閲覧した会員メッセージに対するコメントメッセージを書き込んだ場合には書込点を与えて会員メッセージテーブルに記憶させ、会員ごとの得点に応じて会員メッセージのベストテン表示や得点順位の表示などを行うことによって、利用者にとってより面白みのある掲示板を開設することができる。
しかしながら、この技術は、より面白みのある記事を書かせて、掲示板を活性化するためのものである。より面白みのある（人気のある）記事を書く会員が誰であるかが分かるだけであり、面白い（人気のある）記事がどれであるかが分かるものではない。
【０００６】
【特許文献１】特開２００３−９９３７４号公報
【特許文献２】特開２００１−１７５５６３号公報
【発明の開示】
【発明が解決しようとする課題】
【０００７】
本発明は、上述した実情を考慮してなされたものであって、掲示板に投稿された記事の中で掲示板を利用する者に関心が持たれている記事を素早く探し、また、重要な情報を見逃さないようにする電子掲示板システム、電子掲示板システムの機能を実行するためのプログラムおよびそのプログラムを記録したコンピュータ読み取り可能な記録媒体を提供することを目的とする。
【課題を解決するための手段】
【０００８】
上述の課題を解決するために、請求項１の発明は、ネットワークに接続された電子掲示板システムにおいて、投稿者の投稿した記事を掲示板データベースへ登録する登録手段と、前記掲示板データベースの記事を閲覧者が閲覧したときに、該記事の内容を閲覧者へ返信するとともに、該閲覧者を識別する識別子および閲覧した日付を該記事と関連付けて該掲示板データベースへ記録する閲覧手段と、利用者から特定の期間が指定されたときに、該特定の期間内に閲覧されている前記掲示板データベース中の記事を対象にして閲覧者数を計数し、閲覧者数の多い順番に記事を並べた一覧表を作成して前記利用者へ返信する一覧表作成手段とを備えることを特徴とする。
【０００９】
また、請求項２の発明は、請求項１に記載の電子掲示板システムにおいて、前記一覧表作成手段で閲覧者数を計数する場合、前記特定の期間内で同じ識別子を持つ閲覧者に対しては１人として計数するようにしたことを特徴とする。
【００１０】
また、請求項３の発明は、請求項１または２に記載の電子掲示板システムにおいて、前記一覧表作成手段で閲覧者数の多い順番に記事を並べ換える場合、閲覧者数が同数の記事があるときは、それらの記事内の順序を記事が投稿された日時が新しい順に並べるようにしたことを特徴とする。
【００１１】
また、請求項４の発明は、請求項１、２または３に記載の電子掲示板システムにおいて、前記特定の期間は、本日、今週、今月、指定期間あるいは期間限定なしのいずれかであることを特徴とする。
【００１２】
また、請求項５の発明は、請求項１乃至４のいずれかに記載の電子掲示板システムにおいて、前記一覧表の表示項目は、少なくとも記事名および該記事を閲覧した閲覧者数であることを特徴とする。
【００１３】
また、請求項６の発明は、請求項１乃至５のいずれかに記載の電子掲示板システムにおいて、前記一覧表作成手段における計数の対象を記事単位ではなく、関連する記事をまとめて計数するようにしたことを特徴とする。
【００１４】
また、請求項７の発明は、記事を投稿または閲覧するためのクライアントと投稿された記事を管理する電子掲示板サーバをネットワークで接続した電子掲示板システムにおいて、前記電子掲示板サーバは、前記クライアントから投稿された記事を掲示板データベースへ登録する登録手段と、前記掲示板データベースの記事を前記クライアントから閲覧されたときに、該記事の内容を該クライアントへ返信するとともに、該クライアントの閲覧者を識別する識別子および閲覧された日付を該記事と関連付けて該掲示板データベースへ記録する閲覧手段と、前記クライアントから特定の期間が指定されたときに、該特定の期間内に閲覧されている前記掲示板データベース中の記事を対象にして閲覧者数を計数し、閲覧者数の多い順番に記事を並べた一覧表を作成して前記クライアントへ返信する一覧表作成手段とを備え、前記クライアントは、前記一覧表による記事の表示対象の切り替え要求を前記電子掲示板サーバへ送信する表示順序切替手段と、前記電子掲示板サーバから返信された一覧表を表示する表示手段と、前記表示手段で表示された一覧表中で指定した記事の内容を前記電子掲示板サーバから取得して表示する記事内容表示手段とを備えることを特徴とする。
【００１５】
また、請求項８の発明は、請求項７に記載の電子掲示板システムにおいて、前記表示順序切替手段における表示対象は、本日、今週、今月、指定期間あるいは指定期間なしのいずれかの期間に閲覧された記事であることを特徴とする。
【００１６】
また、請求項９の発明は、コンピュータに、請求項１乃至８のいずれかに記載の電子掲示板システムの機能を実行させるためのプログラムである。
また、請求項１０の発明は、請求項９に記載のプログラムを記録したコンピュータ読み取り可能な記録媒体である。
【発明の効果】
【００１７】
本発明によれば、重要な情報が書かれている記事は多くの閲覧者によって閲覧されるという事実に基づいて、記事を閲覧した閲覧者数が多い順番に記事を並べて表示することにより、掲示板に投稿された記事の中で掲示板の利用者が関心のある記事を素早く探しだすことができる。
また、掲示板を利用する利用者の多くが関心を持つ記事や傾向を知ることができるので、重要な情報を見逃さないようになる。
【発明を実施するための最良の形態】
【００１８】
以下、図面を参照して、本発明の電子掲示板システムに係る好適な実施形態について説明する。
図１は、本発明の電子掲示板システムのネットワーク構成例を示すブロック図であり、同図において、電子掲示板システムは、利用者から投稿される記事の記録および閲覧を管理する電子掲示板サーバ１０、電子掲示板で管理される記事を投稿または閲覧する利用者の利用するコンピュータ等からなるクライアント２０、電子掲示板サーバ１０とクライアント２０とを接続するネットワーク３０とから構成されている。
ネットワーク３０は、電子掲示板サーバ１０と複数のクライアント２０とを接続するインターネートやイントラネット等の通信網であり、ＴＣＰ／ＩＰプロトコルで動作するものである。
【００１９】
電子掲示板サーバ１０は、投稿者からの投稿記事をデータベースとして格納するとともに、その記事を閲覧者に対して閲覧させる。また、閲覧者が閲覧した記事に関するコメント等の追加記事も元の記事に関連付けて管理するとともに、記事がいつ誰によって閲覧されたかをも記録する。
さらに、閲覧者や投稿者がすでにどのような記事が投稿されているかを知るための記事の一覧表をも提供する。この一覧表は、登録順やカテゴリ順ばかりでなく、投稿や閲覧のために何人の閲覧者が閲覧したかにしたがって記事を順序付けている。
【００２０】
クライアント２０では、Ｗｅｂブラウザ等が動作し、利用者はこのＷｅｂブラウザを用いて電子掲示板サーバ１０へアクセスし、投稿あるいは閲覧あるいはそれらのための記事の一覧表を表示させる。
【００２１】
次に、図２は、電子掲示板で管理するデータベースの内部データ構成をＵＭＬ（Unified Modeling Language）を使用して表記した例を示す図である。
電子掲示板をあらわす「掲示板」オブジェクト２０１は、０個以上の「スレッド」オブジェクト２０２と関係している（１対０．．ｎの関係）。「スレッド」は、関連する記事を記事群としてまとめるものであって、新規に登録された記事に対してコメントの形で別の記事を投稿した場合などで、これらの投稿記事およびコメント記事等は同一のスレッドに属する。
【００２２】
「スレッド」オブジェクト２０２は、新規に投稿した記事である「記事」オブジェクト２０３と１対１の関係を持っている。
【００２３】
「記事」オブジェクト２０３は、他の「記事」オブジェクト２０３と１対０．．ｎの関係を持っている。この１対０．．ｎの関係は、投稿された記事に対して、コメントなどの追加記事を複数個持つ場合があるからである。
また、「記事」オブジェクト２０３の属性としては、記事ＩＤ、投稿者名、投稿日時、記事名、カテゴリ、本文等が記録される。
さらに、「記事」オブジェクト２０３は、「閲覧記録」オブジェクト２０４と１対１．．ｎの関係を持っている。
この「閲覧記録」オブジェクト２０４の属性としては、閲覧者によって当該記事を閲覧した日付と閲覧者のユーザＩＤとが記録される。ただし、最初に投稿した投稿者も閲覧記録へ記録されるが、同じユーザＩＤを持つ閲覧者が同じ日付で同じ記事を閲覧した場合には閲覧記録へは記録されない。
【００２４】
次に、図３は、電子掲示板システムにおけるクライアント２０の画面例である。同図において、画面１００は、電子掲示板に投稿された記事の一覧表を表示する一覧表領域１２０と、この一覧表の記事の表示順序を指定する表示順序指定領域１１０と、一覧表中の記事の内容の表示や投稿記事の作成を行う記事領域１３０とから構成されている。
【００２５】
表示順序指定領域１１０は、閲覧ユーザ数順１１１、新規登録順１１２、カテゴリ順１１３および表示ボタン１１４から構成されている。
さらに、閲覧ユーザ数順１１１を選択した場合には、全閲覧ユーザ数１１１ａ、本日の閲覧ユーザ数１１１ｂ、今週の閲覧ユーザ数１１１ｃ、今月の閲覧ユーザ数１１１ｄ、期間指定１１１ｅから選択することが可能である。期間指定１１１ｅを選択した場合は、任意の開始日と終了日で示される指定期間を入力することができる。
【００２６】
新規登録順１１２を選択して表示ボタン１１４を押すことによって、電子掲示板サーバ１０から新規登録した日付順に並べられた記事の一覧表が送られ、この一覧表が一覧表領域１２０へ表示される。
また、カテゴリ順１１３を選択して表示ボタン１１４を押すことによって、電子掲示板サーバ１０からカテゴリ順に並べられた記事の一覧表が送られ、この一覧表が一覧表領域１２０へ表示される。
【００２７】
また、閲覧ユーザ数順１１１を選択して、さらに閲覧した記事の期間を限定して表示ボタン１１４を押すことによって、電子掲示板サーバ１０から指定した期間の範囲内で記事を閲覧したユーザ数順（降順）に並べられた記事の一覧表が送られ、この一覧表が一覧表領域１２０へ表示される。
【００２８】
ここで、全閲覧ユーザ数１１１ａの場合には、閲覧期間を限定せず、データベースに記録されたすべての記事を対象にして閲覧ユーザ数を計数する。
本日の閲覧ユーザ数１１１ｂの場合には、データベースに記録されたすべての記事の中から本日の日付で閲覧された記事だけを対象にして閲覧ユーザ数を計数する。
【００２９】
今週の閲覧ユーザ数１１１ｃの場合には、データベースに記録されたすべての記事の中から今週１週間（今週の日曜から本日まで）に閲覧された記事だけを対象にして閲覧ユーザ数を計数する。
今月の閲覧ユーザ数１１１ｄの場合には、データベースに記録されたすべての記事の中から今月１ヶ月（今月の１日から本日まで）に閲覧された記事だけを対象にして閲覧ユーザ数を計数する。
期間指定１１１ｅの場合には、データベースに記録されたすべての記事の中から指定した開始日から終了日までの期間に閲覧された記事だけを対象にして閲覧ユーザ数を計数する。
【００３０】
一覧表領域１２０は、表示順序を指定した場合に表示される記事の一覧表を表示する。この領域には、記事ごとに、少なくとも記事名１２１とその記事を閲覧したユーザ数１２２とをユーザ数順（降順）に並べている。この一覧表には、記事に対する記事名だけでなく、投稿者名、投稿日付やカテゴリ等も表示するようにしてもよい。
また、記事名１２１は、この記事の本文を格納したデータベースへのリンクが張られている。閲覧者が記事名１２１をクリックすると、この記事の内容が記事領域１３０に表示される。
【００３１】
記事領域１３０は、閲覧した記事やこれから投稿する記事の記事名１３１、記事の分類を示すカテゴリ１３２および記事の本文１３３と、作成した記事の新規登録を指示する登録ボタン１３４と閲覧した記事に対するコメントなどの追加記事の投稿を指示するコメントボタン１３５とから構成される。
一覧表領域１２０に表示された記事を選択すると、データベースから選択された記事に関する情報が取り寄せられて、その記事の記事名が記事名１３１へ、カテゴリがカテゴリ１３２へ、本文が本文１３３の各領域へ表示される。
また、新規に登録したいときには、記事名、カテゴリおよび本文を各領域へ入力して、登録ボタン１３４を押す。この入力された記事等は電子掲示板サーバ１０へ送信され、データベースへ格納される。
【００３２】
記事に対するコメント等の追加事項を投稿するときには、当該記事を表示させておいてコメントボタン１３５を押すと、コメントのための入力領域（形式はこの記事領域と類似したものである）へ入力して登録ボタンを押すことによって、閲覧記事のコメント等の追加記事として電子掲示板サーバ１０のデータベースへ格納される。
【００３３】
以下、本実施形態の電子掲示板システムを詳細に説明する。
図４は、本実施形態の電子掲示板サーバ１０の機能構成図である。同図において、電子掲示板サーバ１０は、制御手段１１、登録手段１２、閲覧手段１３、一覧表作成手段１４と掲示板データベース（ＤＢ）４０とから構成される。さらに、一覧表作成手段１４は、登録順読出手段１５、カテゴリ順読出手段１６、期間指定読出手段１７、出力手段１８とから構成されている。
【００３４】
掲示板ＤＢ４０は、上述したデータベースと同じものであり、図２で示したようなデータ構造をもっており、登録した記事間の関係、記事を誰がいつ閲覧したを示す情報を記憶し、管理している。
制御手段１１は、例えば、Ｗｅｂサーバを用いて構成されクライアント２０とのデータの送受信、登録手段１２、閲覧手段１３、一覧表作成手段１４を制御する。
また、制御手段１１は、クライアント２０のＷｅｂブラウザを介してアクセスがあると、掲示板ＤＢ４０に格納された記事を予め設定された順序の一覧表を作成して、図３に示したような画面を送信する。
【００３５】
利用者は、記事を投稿するときには、図３の記事領域１３０の記事名１３１、カテゴリ１３２および本文１３３へ入力し、登録ボタン１３４を押す。
クライアント２０のＷｅｂブラウザは、この新規登録記事の情報を電子掲示板サーバ１０へ送信する。
電子掲示板サーバ１０の制御手段１１がこの新規登録記事の情報を受信すると、登録手段１２を起動して受信情報を渡す。
【００３６】
登録手段１２は、記事に対して唯一名である記事ＩＤを付与し、新たなスレッドを作成して、そのスレッドに１対１の関係で記事オブジェクトを作成して掲示板ＤＢ４０へ記録するとともに、登録によって変更された掲示板ＤＢ４０の記事の一覧表を新たに作成し、Ｗｅｂブラウザの扱える形式に変換し、投稿者のクライアント２０へ返信する。
【００３７】
この際、記事オブジェクトの属性として、記事ＩＤ、記事を投稿した投稿者名、記事を受信した日時、記事名、カテゴリおよび記事本文を格納する。また、閲覧記録オブジェクトを作成して、登録した記事オブジェクトと関連付けておく。この閲覧記録オブジェクトの属性として、投稿記事を受信した日付と投稿者のユーザＩＤ（例えば、メールアドレス）とを記録する。
【００３８】
また、利用者が閲覧した記事に対してコメント等の追加記事を投稿する場合には、図３のコメントボタン１３５を押すことによって、表示されるコメントのための入力領域へ記入して登録ボタンを押す。
クライアント２０のＷｅｂブラウザは、この追加記事の情報を電子掲示板サーバ１０へ送信する。
電子掲示板サーバ１０の制御手段１１がこの追加記事の情報を受信すると、登録手段１２を起動して受信情報を渡す。
【００３９】
登録手段１２は、追加記事に対して唯一名である記事ＩＤを付与し、追加記事の元になった記事と関連付けた記事インスタンスを作成して掲示板ＤＢ４０へ記録するとともに、登録によって変更された掲示板ＤＢ４０の記事の一覧表を新たに作成し、Ｗｅｂブラウザの扱える形式に変換し、投稿者のクライアント２０へ返信する。
【００４０】
この際、追加記事の記事インスタンスの属性として、記事ＩＤ、追加記事を投稿した投稿者名、追加記事を受信した日時、追加記事名、カテゴリおよび追加記事の本文を格納する。また、閲覧記録インスタンスを作成して、登録した追加記事の記事インスタンスと関連付けておく。この閲覧記録インスタンスの属性として、追加記事を受信した日付と投稿者のユーザＩＤ（例えば、メールアドレス）とを記録する。
【００４１】
利用者が記事を閲覧するときには、図３の一覧表領域１２０の一覧表の該当記事の記事名１２１をクリックする。
クライアント２０のＷｅｂブラウザは、この閲覧記事の情報を電子掲示板サーバ１０へ送信する。
電子掲示板サーバ１０の制御手段１１がこの閲覧記事の情報を受信すると、閲覧手段１３を起動して受信情報を渡す。
【００４２】
閲覧手段１３は、閲覧対象となった記事を掲示板ＤＢ４０から取り出して、Ｗｅｂブラウザの扱える形式に変換し、閲覧者のクライアント２０へ返信する。
この際、閲覧手段１３は、閲覧対象となった記事の閲覧記録を参照して、閲覧者のユーザＩＤと同じユーザＩＤが登録されていないかどうか確かめる。同じユーザＩＤが登録されていないときには、閲覧要求を受信した日付と閲覧者のユーザＩＤとを新たな閲覧記録インスタンスとして登録する（図５参照）。
また、同じユーザＩＤが既に登録されていた場合には、閲覧記録インスタンスを作成しない。
【００４３】
利用者が記事の一覧表示の順序を変更したいときには、図３の表示順序指定領域１１０で、閲覧ユーザ数順１１１、新規登録順１１２およびカテゴリ順１１３のいずれかを選択して表示ボタン１１４を押す。
クライアント２０のＷｅｂブラウザは、この一覧表取得要求とその表示順序情報を電子掲示板サーバ１０へ送信する。
電子掲示板サーバ１０の制御手段１１がこの一覧表取得要求とその表示順序情報を受信すると、一覧表作成手段１４を起動して表示順序情報を渡す。
一覧表作成手段１４は、表示順序情報が新規登録順である場合は、登録順読出手段１５を起動する。
【００４４】
登録順読出手段１５は、掲示板ＤＢ４０に記録された記事を登録した日付の順序（降順または昇順）でソートして、登録した日付、記事名（記事インスタンスへのリンク情報を付加する）および投稿者名等からなる一覧表を作成して、出力手段１８によってＷｅｂブラウザの扱える形式に変換し、投稿者のクライアント２０へ返信する。
【００４５】
また、一覧表作成手段１４は、表示順序情報がカテゴリ順である場合は、カテゴリ順読出手段１６を起動する。
登録順読出手段１５は、掲示板ＤＢ４０に記録された記事をカテゴリによって分類し、カテゴリ、記事名（記事インスタンスへのリンク情報を付加する）および投稿者名等からなる一覧表を作成して、出力手段１８によってＷｅｂブラウザの扱える形式に変換し、投稿者のクライアント２０へ返信する。
【００４６】
また、利用者が閲覧ユーザ数順に一覧表を表示させたいときには、さらに、全閲覧ユーザ数１１１ａ、本日の閲覧ユーザ数１１１ｂ、今週の閲覧ユーザ数１１１ｃ、今月の閲覧ユーザ数１１１ｄ、期間指定１１１ｅのいずれかを選択してから、表示ボタン１１４を押す。期間指定１１１ｅを選択した場合は、任意の開始日と終了日で示される指定期間を入力してから、表示ボタン１１４を押す。
【００４７】
クライアント２０のＷｅｂブラウザは、この一覧表取得要求とどの期間の閲覧ユーザ数によって表示したいかの期間情報を電子掲示板サーバ１０へ送信する。
電子掲示板サーバ１０の制御手段１１がこの一覧表取得要求と期間情報を受信すると、一覧表作成手段１４の期間指定読出手段１７を起動して期間情報を渡す。
【００４８】
期間指定読出手段１７は、受け取った期間情報から次のように開始日と終了日とを設定する。
（１）期間情報が「全閲覧ユーザ数」の場合には、開始日を掲示板システムが稼動した最初の日、終了日を本日の日付に設定する。
（２）期間情報が「本日の閲覧ユーザ数」の場合には、開始日および終了日を本日の日付に設定する。
（３）期間情報が「今週の閲覧ユーザ数」の場合には、開始日を今週の日曜、終了日を本日の日付に設定する。
（４）期間情報が「今月の閲覧ユーザ数」の場合には、開始日を今月の１日、終了日を本日の日付に設定する。
（５）期間情報が「期間指定」の場合には、指定された期間を開始日および終了日の日付に設定する。
【００４９】
このように期間を設定した後、掲示板ＤＢ４０に記録されたすべての記事の中から閲覧記録インスタンスの日付属性の値が開始日と終了日の期間内の記事を探す。
この際、この記事を開始日と終了日の期間内で閲覧している閲覧者のユーザ数を計数するが、閲覧者のユーザＩＤが同一である場合には計数せずに、同一人を計数しないようにする（図６参照）。
このようにして計数されたユーザ数の多い順にソートし、記事名（記事インスタンスへのリンク情報を付加する）、閲覧したユーザ数および投稿者名、投稿日時、カテゴリ等からなる一覧表を作成して、出力手段１８によってＷｅｂブラウザの扱える形式に変換し、表示要求者のクライアント２０へ返信する。
ここで、閲覧ユーザ数が同数であった場合には、記事を投稿した日時が新しい順にソートする。
【００５０】
以上のように、記事単位に閲覧したユーザ数を表示することにより、各投稿記事がどの程度利用者に関心が持たれているかを知る目安となる。
また、閲覧したユーザ数が同じ記事があった場合は、同じ閲覧したユーザ数の記事内の順序を記事が投稿された日時が新しい順で並べられているので、同程度の関心を持たれる記事であれば、より新しい記事を見つけることができる。
【００５１】
また、一覧表に表示する対象記事を特定の期間（本日、今週、今月または指定期間）に閲覧された記事に限定することによって、そのときに利用者が関心をもった記事を知ることができる。
また、この特定の期間（本日、今週、今月、期間指定、期間指定なし）を種々切り替えることで、その時々で利用者が関心をもった記事やその傾向を知ることができる。
【００５２】
また、上記の実施形態では、記事ごとに閲覧したユーザ数を計数していたが、スレッド単位にまとめた記事全体で閲覧ユーザ数を計数するようにすると、利用者がより関心のある記事の傾向を知ることができる。
【００５３】
さらに、本発明は、上述した実施形態のみに限定されたものではなく、上述した実施形態の機能をそれぞれプログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着し、これらのプログラムをインストールして、実行することによっても、本発明の目的が達成されることは言うまでもない。
この場合、記録媒体から読出されたプログラム自体が上述した実施形態を実現することになり、そのプログラムおよびそのプログラムを記録した記録媒体も本発明を構成することになる。
【００５４】
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。
あるいは、インターネット等の通信網を介して記憶装置に格納されたプログラムをサーバコンピュータから直接供給を受けるようにしてもよい。この場合、このサーバコンピュータの記憶装置も本発明の記録媒体に含まれる。
【００５５】
また、ロードしたプログラムを実行することにより上述した実施形態が実現されるだけでなく、そのプログラムの指示に基づき、オペレーティングシステム等が実際の処理の一部または全部を行い、その処理によって上述した実施形態が実現される場合も含まれる。
【００５６】
本発明の電子掲示板システムの機能をプログラムとしたり、そのプログラムを記録媒体に記録することによって、コスト、可搬性、汎用性を向上させることができる。
【図面の簡単な説明】
【００５７】
【図１】本発明の電子掲示板システムのネットワーク構成例を示すブロック図である。
【図２】電子掲示板で管理するデータベースの内部データ構成をＵＭＬを使用して表記した例を示す図である。
【図３】電子掲示板システムにおけるクライアントの画面例である。
【図４】本実施形態の電子掲示板サーバ１０の機能構成図である。
【図５】閲覧記録インスタンスを示す例である。
【図６】記事ごとに閲覧したユーザ数を計数した結果を示す例である。
【符号の説明】
【００５８】
１０…電子掲示板サーバ、１１…制御手段、１２…登録手段、１３…閲覧手段、１４…一覧表作成手段、１５…登録順読出手段、１６…カテゴリ順読出手段、１７…期間指定読出手段、１８…出力手段、２０…クライアント、３０…ネットワーク、４０…掲示板ＤＢ、１００…クライアントの表示画面、１１０…表示順序指定領域、１１１…閲覧ユーザ数順、１１１ａ…全閲覧ユーザ数、１１１ｂ…本日の閲覧ユーザ数、１１１ｃ…今週の閲覧ユーザ数、１１１ｄ…今月の閲覧ユーザ数、１１１ｅ…期間指定、１１２…新規登録順、１１３…カテゴリ順、１１４…表示ボタン、１２０…一覧表領域、１２１…記事名、１２２…ユーザ数、１３０…記事領域、１３１…記事名、１３２…カテゴリ、１３３…本文、１３４…登録ボタン、１３５…コメントボタン、２０１…掲示板オブジェクト、２０２…スレッドオブジェクト、２０３…記事オブジェクト、２０４…閲覧記録オブジェクト。
【図１】
2005122226.tif 000003
【図２】
2005122226.tif 000004
【図３】
2005122226.tif 000005
【図４】
2005122226.tif 000006
【図５】
2005122226.tif 000007
【図６】
2005122226.tif 000008